(57)【要約】【課題】内部構成の複雑化を抑制しつつ、空調の即効性の向上および空調の有効範囲の拡大を図ることが可能なシート空調装置を提供する。【解決手段】空気循環回路１５を、表皮部材１１の裏側とシートパッド１２との間に形成された第１空気流通部１５１、加熱器１４を介して送風ユニット１３の空気吹出側から第１空気流通部１５１へ空気を導く第２空気流通部１５２、および第１空気流通部１５１から送風ユニット１３の空気吸入側へ空気を導く第３空気流通部１５３を有する構成とし、第３空気流通部１５１に、空気循環回路１５の外部から空気を取り込む空気取込部１６を設ける。さらに、表皮部材１１における第１空気流通部１５１に対向する部位を通気性を有する部材で構成する。【選択図】図１
2014125086.tif 000002
【特許請求の範囲】
【請求項１】
表側が着座者の当り面をなす表皮部材（１１）と、
前記表皮部材の裏側に配置されるシートパッド（１２）と、
吸入した空気を吹き出す送風手段（１３）と、
前記送風手段から吹き出された空気の温度を調整する温度調整部（１４、１９）と、
少なくとも前記送風手段と前記温度調整部との間で空気を循環させる空気循環回路（１５）と、を備え、
前記空気循環回路は、前記表皮部材の裏側と前記シートパッドとの間に形成された第１空気流通部（１５１）、前記温度調整部を介して前記送風手段の空気吹出側から前記第１空気流通部へ空気を導く第２空気流通部（１５２）、前記第１空気流通部から前記送風手段の空気吸入側へ空気を導く第３空気流通部（１５３）を有し、
前記第３空気流通部には、前記空気循環回路の外部から空気を取り込む空気取込部（１６）が設けられており、
前記表皮部材は、少なくとも前記第１空気流通部に対向する部位が通気性を有する部材で構成されていることを特徴とするシート空調装置。
【請求項２】
前記空気取込部における空気を取り込む取込通路は、前記空気取込部を介して前記第３空気流通部へ流入する取込空気の取込流量が、前記第１空気流通部から前記第３空気流通部へ流入する循環空気の循環流量よりも少なくなるように構成されていることを特徴とする請求項１に記載のシート空調装置。
【請求項３】
前記空気取込部には、前記第１空気流通部から流入する循環空気の循環流量（Ｖｒ）に対する前記空気取込部を介して流入する取込空気の取込流量（Ｖｉｎ）の流量比（Ｖｉｎ／Ｖｒ）を調整する流量調整機構（１８）が設けられていることを特徴とする請求項１に記載のシート空調装置。
【請求項４】
前記温度調整部は、前記送風手段から吹き出された空気を加熱する加熱器（１４）で構成され、
前記流量調整機構は、前記空気取込部における空気を取り込む取込通路の通路開度を変更する可動部材（１８１）、前記可動部材を変位させる駆動部材（１８２）を有し、
前記駆動部材は、前記空気循環回路内を流れる空気の温度上昇に伴って、前記取込通路の通路開度が大きくなるように前記可動部材を変位させることを特徴とする請求項３に記載のシート空調装置。
【請求項５】
前記温度調整部は、前記送風手段から吹き出された空気を加熱する冷却器（１９）で構成され、
前記流量調整機構は、前記空気取込部における空気を取り込む取込通路の通路開度を変更する可動部材（１８１）、前記可動部材を変位させる駆動部材（１８２）を有し、
前記駆動部材は、前記空気循環回路内を流れる空気の温度低下に伴って、前記取込通路の通路開度が大きくなるように前記可動部材を変位させることを特徴とする請求項３に記載のシート空調装置。
【請求項６】
前記駆動部材は、前記空気循環回路内を循環する空気の温度変化に伴って形状が変化するバイメタル（１８２ａ）を有し、前記バイメタルの形状変化により前記可動部材を変位させるように構成されていることを特徴とする請求項４または５に記載のシート空調装置。
【請求項７】
前記駆動部材を制御する駆動制御手段（５０ｄ）と、
前記空気循環回路内を循環する空気の温度を検出する温度検出手段（５１）と、を備え、
前記駆動制御手段は、前記温度検出手段の検出温度に応じて前記可動部材が変位するように前記駆動部材を制御することを特徴とする請求項４または５に記載のシート空調装置。
【請求項８】
前記空気取込部は、別途設けられた空調手段（１１０）にて温度調整された空気が流通する空調ダクト（２０）に接続されていることを特徴とする請求項１ないし７のいずれか１つに記載のシート空調装置。
【発明の詳細な説明】
【技術分野】
【０００１】
本発明は、着座者に温度調整された空気を提供するシート空調装置に関する。
【背景技術】
【０００２】
従来、着座者に温度調整された空気を提供するシート空調装置が種々提案されている（例えば、特許文献１参照）。
【０００３】
この特許文献１には、表皮部材の一部を通気性のない無孔部、無孔部の周囲に通気性を有する有孔部を設け、無孔部の裏側に空気循環経路を配し、さらに有効部の裏側に有孔部へ温度調整された空気を導く空気吹出経路を設ける構成が提案されている。
【０００４】
このように、表皮部材における伝熱方式を、表皮部材の一部において空気循環経路を循環する空気の熱を着座者に対して間接的に伝達する伝導伝熱とし、表皮部材の残部において着座者に向かって温度調整された空気を吹き出す対流伝熱としている。
【０００５】
ここで、伝導伝熱では、着座者における表皮部材と接する部位に対して集中して熱を伝達することができ、空調の即効性に優れるといった利点がある。これに対して、対流伝熱では、着座者における表皮部材と接しない部位に対しても熱を伝達することができ、空調の有効範囲が広いといった利点がある。
【先行技術文献】
【特許文献】
【０００６】
【特許文献１】特許第３９２０３２９号
【発明の概要】
【発明が解決しようとする課題】
【０００７】
ところで、従来技術では、空気吹出経路、および空気循環経路が独立した空気経路で構成されており、シート空調装置の内部構成が複雑化してしまうことから、設計や製造上の制約が大きくなり易く、コストが増大するといった問題がある。
【０００８】
また、従来技術では、表皮部材における同一箇所において伝導伝熱および対流伝熱それぞれを実現できず、伝導伝熱の利点である空調の即効性と、対流伝熱の利点である空調の有効範囲の拡大とを同一箇所にて両立することができない。
【０００９】
なお、従来技術では、表皮部材の一部を通気性のない無孔部としており、温度調整された空気が表皮部材を貫通して流れるような貫通気流が生じないことから、温度調整された空気と表皮部材等との間の通気による熱交換が期待できない。このことは、伝導伝熱の利点である空調の即効性を阻害する一因となる。
【００１０】
本発明は上記点に鑑みて、内部構成の複雑化を抑制しつつ、空調の即効性の向上および空調の有効範囲の拡大を図ることが可能なシート空調装置を提供することを目的とする。
【課題を解決するための手段】
【００１１】
本発明は、着座者に温度調整された空気を提供するシート空調装置を対象としている。
【００１２】
上記目的を達成するため、請求項１に記載の発明では、表側が着座者の当り面をなす表皮部材（１１）と、表皮部材の裏側に配置されるシートパッド（１２）と、吸入した空気を吹き出す送風手段（１３）と、送風手段から吹き出された空気の温度を調整する温度調整部（１４、１９）と、少なくとも送風手段と温度調整部との間で空気を循環させる空気循環回路（１５）と、を備え、空気循環回路は、表皮部材の裏側とシートパッドとの間に形成された第１空気流通部（１５１）、温度調整部を介して送風手段の空気吹出側から第１空気流通部へ空気を導く第２空気流通部（１５２）、第１空気流通部から送風手段の空気吸入側へ空気を導く第３空気流通部（１５３）を有し、第３空気流通部には、空気循環回路の外部から空気を取り込む空気取込部（１６）が設けられており、表皮部材は、少なくとも第１空気流通部に対向する部位が通気性を有する部材で構成されていることを特徴としている。
【００１３】
このように、表皮部材とシートパッドの間に空気循環回路の第１空気流通部を形成すると共に、表皮部材における第１空気流通部に対向する部位を通気性を有する部材で構成すれば、温度調整された空気を単一の空気循環回路内にて循環させつつ、着座者に向かって吹き出すことができるので、表皮部材における同一箇所にて、伝導伝熱および対流伝熱による空調を両立させることができる。
【００１４】
さらに、表皮部材における第１空気流通部と対向する部位を通気性を有する部材で構成とすれば、温度調整された空気が表皮部材を貫通して流れるような貫通気流が生じ易く、温度調整された空気と表皮部材等との間の通気による熱交換が期待できる。これにより、伝導伝熱の利点である空調の即効性の向上を図ることができる。
【００１５】
従って、本発明のシート空調装置によれば、内部構成の複雑化を抑制しつつ、空調の即効性の向上および空調の有効範囲の拡大を図ることが可能となる。
【００１６】
また、請求項２に記載の発明では、空気取込部における空気を取り込む取込通路は、空気取込部を介して第３空気流通部へ流入する取込空気の取込流量が、第１空気流通部から第３空気流通部へ流入する循環空気の循環流量よりも少なくなるように構成されていることを特徴としている。
【００１７】
このように、空気循環回路における空気の循環を優先する構成とすれば、温度調整部における空気の温度調整を促進させて、空気循環回路を循環する空気を早期に所望の温度に調整することができる。これにより、伝導伝熱の利点である空調の即効性の向上を図ることが可能となる。
【００１８】
加えて、シート空調の初期段階等の如く温度調整部における空気の温度調整が不充分となり易い場合に、第１空気流通部を流通する空気が着座者に対して吹き出されることが抑制されるので、着座者の快適性の向上も図ることができる。
【００１９】
また、請求項３に記載の発明では、空気取込部には、第１空気流通部から流入する循環空気の循環流量（Ｖｒ）に対する空気取込部を介して流入する取込空気の取込流量（Ｖｉｎ）の流量比を調整する流量調整機構（１８）が設けられていることを特徴としている。
【００２０】
これによれば、流量調整機構による循環流量に対する取込流量の流量比の調整により、空気循環回路内の空気の循環を優先させたり、表皮部材からの空気の吹き出しを優先させたりすることができる。これにより、着座者に対して第１空気流通部を流通する空気の熱を間接的に伝達する空調（伝導伝熱）、および温度調整された空気を着座者に向かって吹き出す空調（対流伝熱）の優先度をシーンに応じて変更することができ、着座者の快適性の向上を図ることが可能となる。
【００２１】
なお、この欄および特許請求の範囲で記載した各手段の括弧内の符号は、後述する実施形態に記載の具体的手段との対応関係の一例を示すものである。
【図面の簡単な説明】
【００２２】
【図１】第１実施形態に係るシート空調装置の搭載例を示す模式図である。
【図２】第１実施形態に係るシート空調装置の全体構成図である。
【図３】第１実施形態に係る送風ユニットの要部を示す構成図である。
【図４】第１実施形態に係る空気取込部の要部を示す構成図である。
【図５】第１実施形態に係るシート空調装置の作動時における空気の流れを説明する説明図である。
【図６】第２実施形態に係る空気取込部の要部を示す構成図である。
【図７】第２実施形態に係る流量調整機構の作動例を示す構成図である。
【図８】第２実施形態に係る流量調整機構の作動例を示す構成図である。
【図９】第２実施形態に係るシート空調装置の作動時における空気の流れを説明する説明図である。
【図１０】第２実施形態に係る流量調整機構の変形例を示す構成図である。
【図１１】第３実施形態に係る空気取込部の要部を示す構成図である。
【図１２】第３実施形態に係る制御装置による電動モータの制御を説明するための説明図である。
【図１３】第３実施形態に係る制御装置による電動モータの制御の変形例を説明するための説明図である。
【図１４】第４実施形態に係るシート空調装置の全体構成図である。
【図１５】第４実施形態に係る空気取込部の要部を示す構成図である。
【図１６】第５実施形態に係るシート空調装置の搭載例を示す模式図である。
【発明を実施するための形態】
【００２３】
以下、本発明の実施形態について図に基づいて説明する。なお、以下の各実施形態相互において、互いに同一もしくは均等である部分には、図中、同一符号を付してある。
【００２４】
（第１実施形態）
第１実施形態では、本発明のシート空調装置１０を車両用シート１に適用した例について説明する。車両用シート１は、運転席あるいは助手席のシートとして使用されるものを想定している。
【００２５】
車両用シート１は、図１に示すように、主に、着座者となる乗員の臀部を支持するシートクッション部２、および乗員の背中を支持するシートバック部３で構成されている。本実施形態では、シートクッション部２にシート空調装置１０を適用している。なお、本実施形態のシートバック部３は、シート空調装置１０を構成しないことから、その説明を省略する。
【００２６】
ここで、車両には、シート空調装置１０以外に、別途、車室内前部の計器盤（インストルメントパネル）１００の内側に設置され、車室内の温度を調整する空調ユニット１１０が搭載されている。この空調ユニット１１０は、温度調整された空調風を車室内に吹き出すことで、車室内の温度を調整する空調手段である。
【００２７】
本実施形態のシート空調装置１０は、着座者を暖める暖房機器として機能するもので、図２に示すように、主な構成要素として、表皮部材１１、シートパッド１２、送風ユニット１３、加熱器１４、空気循環回路１５、および制御装置５０を備えている。
【００２８】
表皮部材１１は、表側が着座者の臀部の当り面をなすもので、後述の空気循環回路１５の第１空気流通部１５１に対向する部位が通気性を有する部材で構成されている。本実施形態の表皮部材１１は、着座者と接触する表皮１１１、および表皮１１１の内側に配置されたクッション部１１２で構成されている。
【００２９】
表皮１１１は、表裏を貫通する多数の微細孔１１１ａを有する通気性部材（革、織布、メッシュシート等）で構成されている。また、クッション部１１２は、弾性変形可能であって通気性を有する材料（綿や合成樹脂製のスポンジ等）で構成されている。
【００３０】
シートパッド１２は、シートクッション部２にてクッション作用を主に発揮する部材であり、表皮部材１１の裏側に配置され、表皮部材１１に比較して充分大きな厚みを有するウレタンフォーム等の発泡材で構成されている。シートパッド１２は、表皮部材１１と異なり、実質的に通気性がない材料で構成されている。なお、図示しないが、実際には、シートクッション部２の内部には、骨格をなす金属製のフレームが設置されている。
【００３１】
続いて、送風ユニット１３は、シートパッド１２における表皮部材１１の反対の下面側に設置されており、吸い込んだ空気を吹き出す送風手段を構成している。本実施形態の送風ユニット１３は、図３に示すように、空気通路をなす送風ケース１３１、送風ケース１３１内部に配置された送風ファン１３２、送風ファン１３２を回転駆動する駆動モータ１３３で構成されている。
【００３２】
送風ケース１３１には、空気の吸入口１３１ａ、および空気の吹出口１３１ｂが形成されており、図３の矢印で示すように、送風ファン１３２にて吸入口１３１ａから吸い込まれた空気が吹出口１３１ｂから吹き出される。
【００３３】
本実施形態の送風ファン１３２は、遠心式多翼ファン（シロッコファン）で構成されている。なお、送風ファン１３２は、遠心式多翼ファンに限らず、軸流式ファンや斜流式ファン等で構成してもよい。また、駆動モータ１３３は、電動モータで構成されており、後述する制御装置５０からの制御信号に応じて回転数が制御される。
【００３４】
ここで、送風ケース１３１内部における空気吹出側には、空気温度センサ５１が配置されている。この空気温度センサ５１は、後述の空気循環回路１５内を流通する空気の温度を検出する温度検出手段を構成している。なお、空気温度センサ５１は、その検出温度が制御装置５０に入力されるように制御装置５０の入力側に接続されている。
【００３５】
図２に戻り、加熱器１４は、送風ユニット１３の空気吹出側に配置され、送風ユニット１３から吹出された空気を加熱するものであり、送風ユニット１３から吹出された空気の温度を調整する温度調整部を構成している。
【００３６】
本実施形態の加熱器１４は、通電により発熱する電気ヒータで構成されている。なお、電気ヒータは、例えば、ワイヤ状の電気抵抗体から構成されＰＴＣヒータやペルチェ素子等の熱電素子を用いた熱電モジュールで構成することができる。
【００３７】
空気循環回路１５は、表皮部材１１の裏側に形成され、送風ユニット１３と加熱器１４との間で空気を循環させる空気経路であり、第１〜第３空気流通部１５１〜１５３で構成されている。
【００３８】
第１空気流通部１５１は、表皮部材１１とシートパッド１２との間に形成された空気経路であり、シートパッド１２における表皮部材１１との対向面に形成された溝部と表皮部材１１の裏側とで区画形成されている。なお、第１空気流通部１５の上面を構成する表皮部材１１が通気性を有する部材で構成されていることから、第１空気流通部１５１を流通する空気は、その一部が表皮部材１１を介して表皮１１１の表側へ染み出るようになっている。
【００３９】
第２空気流通部１５２は、加熱器１４を介して送風ユニット１３の空気吹出側から第１空気流通部１５１へ空気を導く空気経路であり、シートパッド１２を貫通する貫通溝、当該貫通溝に加熱器１４を介して送風ユニット１３の空気吹出側を接続する吹出用ダクトで構成されている。送風ユニット１３から吹出された空気は、第２空気流通部１５２を流通する際に加熱器１４にて加熱された後、第１空気流通部１５１へ流入する。
【００４０】
第３空気流通部１５３は、第１空気流通部１５１から送風ユニット１３の空気吸入側へ空気を導く空気経路であり、シートパッド１２を貫通する貫通溝、当該貫通溝に送風ユニット１３の空気吹出側を接続する吸入用ダクトで構成されている。
【００４１】
このように構成される空気循環回路１５では、送風ユニット１３から吹き出された空気が、第２空気流通部１５２、第１空気流通部１５１、第３３空気流通部１５３の順に流れ、再び送風ユニット１３に吸い込まれる構成となっている。
【００４２】
ここで、第３空気流通部１５３には、空気循環回路１５の外部（車室内等）から空気を取り込む空気取込部１６が設けられている。本実施形態の空気取込部１６は、図４に示すように、第３空気流通部１５３に形成された空気取込用の開口部１６１、当該開口部１６１に接続される取込ダクト１６２で構成されている。取込ダクト１６２は、車室内に吸込口を有する外部ダクト１７に接続されている。なお、本実施形態では、開口部１６１および取込ダクト１６２の内部が、空気取込部１６における空気を取り込む取込通路を形成している。
【００４３】
本実施形態の空気取込部１６は、空気取込部１６を介して第３空気流通部１５３へ流入する取込空気の取込流量Ｖｉｎが、第１空気流通部１５１から第３空気流通部１５３へ流入する循環空気の循環流量Ｖｒよりも少なくなるように、取込通路の通路断面積の大きさが設定されている。
【００４４】
具体的には、本実施形態の空気取込部１６は、その取込通路の通路断面積が、第３空気流通部１５３における空気取込部１６よりも空気流れ上流側の通路断面積よりも小さい大きさに設定されている。なお、空気取込部１６は、空気取込部１６を介して第３空気流通部１５３へ流入する取込空気の取込流量が、第１空気流通部１５１から第３空気流通部１５３へ流入する循環空気の循環流量よりも少なくなる構造であればよい。例えば、空気取込部１６における通路断面積の大きさによらず、空気取込部１６に空気の取り込みを阻害する抵抗要素を追加するようにしてもよい。
【００４５】
図２に戻り、制御装置５０は、ＣＰＵ、記憶手段である各種メモリ５０ａ等からなるマイクロコンピュータ、およびその周辺機器で構成され、メモリ５０ａに記憶された制御プログラムに従って各種処理を実行するように構成されている。
【００４６】
具体的には、制御装置５０には、入力側に空気温度センサ５１、図示しないシート空調の実行ボタンや温度設定ボタンが設けられた操作パネル等が接続され、出力側に送風ユニットの駆動モータ１３３、加熱器１４等が接続されている。
【００４７】
本実施形態の制御装置５０は、操作パネルの操作や空気温度センサ５１に応じて、送風ユニット１３の駆動モータ１３３、および加熱器１４の温度等を制御するように構成されている。なお、本実施形態では、制御装置５０における送風ユニット１３の駆動モータ１３３を制御する構成が送風量制御手段５０ｂを構成し、加熱器１４の温度を制御する構成が加熱制御手段５０ｃを構成している。
【００４８】
次に、本実施形態のシート空調装置１０の作動させた際のシートクッション部２における空気の流れについて図５を用いて説明する。
【００４９】
図５に示すように、送風ユニット１３から吹き出された空気は、第２空気流通部１５２を流通する際に、加熱器１４に流入して所望の温度に加熱され、加熱器１４にて温度調整された空気が、第２空気流通部１５２から第１空気流通部１５１に流入する。
【００５０】
第１空気流通部１５１に流入した空気は、その大部分が表皮部材１１に比べて圧損の少ない第３空気流通部１５３側へ向かって流通する一方、空気の一部が、通気性を有する表皮部材１１から着座者側に染み出して着座者側に吹き出される。そして、第１空気流通部１５１から第３空気流通部１５３へ流入した空気は、空気取込部１６にて車室内から取り込んだ空気と合流して、再び送風ユニット１３に吸引される。
【００５１】
以上説明した本実施形態のシート空調装置１０は、表皮部材１１とシートパッド１２の間に空気循環回路１５の第１空気流通部１５１を形成すると共に、表皮部材１１における第１空気流通部１５１に対向する部位を、通気性を有する部材で構成している。
【００５２】
これによれば、加熱器１４にて昇温した空気を単一の空気循環回路１５内にて循環させつつ、着座者に向かって吹き出すことができるので、表皮部材１１における同一箇所にて、伝導伝熱および対流伝熱による空調を両立させることができる。
【００５３】
さらに、加熱器１４にて昇温された空気が表皮部材１１を貫通して流れるような貫通気流が生じ易くなるので、温度調整された空気と表皮部材１１等との間の通気による熱交換が期待でき、伝導伝熱の利点である空調の即効性の向上を図ることができる。
【００５４】
従って、本実施形態のシート空調装置１０によれば、内部構成の複雑化を抑制しつつ、空調の即効性の向上および空調の有効範囲の拡大を図ることが可能となる。
【００５５】
また、本実施形態では、空気取込部１６から取り込む取込空気の取込流量が、第１空気流通部１５１から第３空気流通部１５３へ流入する循環空気の循環流量よりも少なくなるように、空気取込部１６の取込通路の通路断面積を設定している。
【００５６】
このように、空気循環回路１５における空気の循環を優先する構成とすれば、温度調整部における空気の温度調整を促進させて、空気循環回路１５を循環する空気を早期に所望の温度に調整することができる。これにより、伝導伝熱の利点である空調の即効性の向上を図ることができる。
【００５７】
なお、加熱器１４における加熱能力を増大させることにより、空調の即効性を向上させることが可能であるが、加熱器１４を過度に発熱させると、その熱が周囲機器の熱害等になってしまう虞がある。
【００５８】
これに対して、本実施形態の如く、空気循環回路１５における空気の循環を優先する構成とすれば、外部から空気を取り込む場合に比べて、加熱器１４に流入する空気の温度が高くなるので、加熱器１４の加熱能力が制限されている場合でも、空調の即効性を向上させることが可能となる。
【００５９】
ここで、空調の初期段階等のように空気循環回路１５に冷気が存在する場合や、加熱器１４による空気の加熱が不充分となる場合、低温の空気が表皮部材１１を介して着座者に対して吹き出される虞がある。
【００６０】
これに対して、本実施形態では、前述の如く空気循環回路１５における空気の循環を優先される構成としているので、低温の空気が第１空気流通部１５１を流通する際に着座者に対して吹き出されることも抑制でき、着座者の快適性の向上を図ることが可能となる。
【００６１】
（第２実施形態）
次に、第２実施形態について説明する。本実施形態では、第１実施形態に対して空気取込部１６における構成を変更した例について説明する。なお、本実施形態では、第１実施形態と同様または均等な部分についての説明を省略、または簡略化して説明する。
【００６２】
図６に示すように、本実施形態の空気取込部１６には、第１空気流通部１５１から第３空気流通部１５３に流入する循環空気の循環流量Ｖｒに対する空気取込部１６を介して流入する取込空気の取込流量Ｖｉｎの流量比（＝Ｖｉｎ／Ｖｒ）を調整する流量調整機構１８が設けられている。
【００６３】
この流量調整機構１８は、空気取込部１６の取込通路の通路開度を変更する可動部材１８１、および可動部材１８１を変位させる駆動部材１８２で構成されている。本実施形態の可動部材１８１は、回転変位する板状の弁体１８１ａにより、空気取込部１６における取込通路の通路開度を変更するバタフライ式の弁機構で構成されている。
【００６４】
本実施形態の駆動部材１８２は、空気循環回路１５内を流れる空気の温度上昇に伴って、空気取込部１６の取込通路の通路開度が大きくなるように可動部材１８１の弁体１８１ａを回転変位させるように構成されている。
【００６５】
具体的には、駆動部材１８２は、空気循環回路１５内を循環する空気の温度変化に伴って形状が変化するバイメタル１８２ａを有し、バイメタル１８２ａの形状変化により可動部材１８１の弁体１８１ａを変位させる駆動機構で構成されている。
【００６６】
本実施形態のバイメタル１８２ａは、熱膨張率の異なる金属板を貼り合わせた板状部材を渦巻き状に巻回したものであり、第３空気流通部１５３内に露出した部位の温度変化により伸び縮みするように構成されている。
【００６７】
このように構成される流量調整機構１８は、空気循環回路１５内に低温の空気が流通すると、図７に示すように、バイメタル１８２ａが縮むことで、空気取込部１６の取込通路の通路開度が小さくなる位置に可動部材１８１の弁体１８１ａが回転変位する。
【００６８】
これにより、空気取込部１６を介して流入する取込空気の取込流量Ｖｉｎが減少し、第１空気流通部１５１から第３空気流通部１５３に流入する循環空気の循環流量Ｖｒが増加する。つまり、循環流量Ｖｒに対する取込流量Ｖｉｎの流量比が小さくなる。
【００６９】
この場合、図５に示すように、空気循環回路１５における空気の循環が優先され、加熱器１４における空気の昇温が促進されるので、伝導伝熱の利点である空調の即効性の向上を図ることが可能となる。
【００７０】
一方、空気循環回路１５内における空気の循環により、空気循環回路１５内に高温の空気が流通するようになると、図８に示すように、バイメタル１８２ａが伸び、空気取込部１６の取込通路の通路開度が大きくなる位置に可動部材１８１の弁体１８１ａが回転変位する。
【００７１】
これにより、空気取込部１６を介して流入する取込空気の取込流量Ｖｉｎが増加し、第１空気流通部１５１から第３空気流通部１５３に流入する循環空気の循環流量Ｖｒが減少する。つまり、循環流量Ｖｒに対する取込流量Ｖｉｎの流量比が大きくなる。
【００７２】
ここで、循環流量Ｖｒに対する取込流量Ｖｉｎの流量比が大きくなった場合の空気循環回路１５内における空気の流れについて、図９を用いて説明する。
【００７３】
図９に示すように、送風ユニット１３から吹き出された空気は、加熱器１４にて温度調整され、第２空気流通部１５２から第１空気流通部１５１に流入する。そして、第１空気流通部１５１に流入した空気は、第３空気流通部１５３側へ向かって流通すると共に、通気性を有する表皮部材１１から着座者側に染み出して着座者側に吹き出される。
【００７４】
この際、流量調整機構１８により、第１空気流通部１５１から第３空気流通部１５３に流入する循環空気の循環流量Ｖｒが制限されることから、その分、第１空気流通部１５１を流通する空気が表皮部材１１から着座者に向けて吹き出される。
【００７５】
このように、循環流量Ｖｒに対する取込流量Ｖｉｎの流量比が大きくなると、流量比が小さい図７の状態に比べて、表皮部材１１からの空気の吹き出しが優先され、着座者に向かって暖かい空気を吹き出すことができる。
【００７６】
その他の構成および作動は、第１実施形態と同様である。本実施形態のシート空調装置１０によれば、第１実施形態のシート空調装置１０の作用効果に加えて、以下の作用効果を奏する。
【００７７】
すなわち、本実施形態では、空気取込部１６に流量調整機構１８を設ける構成としているので、流量調整機構１８による循環流量Ｖｒに対する取込流量Ｖｉｎの流量比の調整により、空気循環回路１５内の空気の循環を優先させたり、表皮部材１１からの空気の吹き出しを優先させたりすることができる。これにより、着座者に対して第１空気流通部１５１を流通する空気の熱を間接的に伝達する空調（伝導伝熱）、および温度調整された空気を着座者に向かって吹き出す空調（対流伝熱）の優先度をシーンに応じて変更することができ、着座者の快適性の向上を図ることが可能となる。
【００７８】
特に、本実施形態では、温度調整部を加熱器１４で構成すると共に、流量調整機構１８の駆動部材１８２を、空気循環回路１５内を流れる空気の温度上昇に伴って、取込通路の通路開度が大きくなるように可動部材１８１を変位させる構成している。
【００７９】
これよれば、空調の初期段階のように、空気循環回路１５内を流れる空気が低くなり易い場合に、空気取込部１６の取込通路の通路開度が小さくなり、空気循環回路１５内の空気の循環が優先されることから、空気循環回路１５内を流れる空気の早期昇温を図ることができる。
【００８０】
また、加熱器１４による加熱によって、空気循環回路１５内を流れる空気が上昇すると、空気取込部１６の取込通路の通路開度が大きくなり、表皮部材１１からの空気の吹き出しが優先されることから、着座者に向かって暖かい空気を吹き出すことができる。
【００８１】
また、本実施形態では、バイメタル１８２ａで構成される駆動部材１８２により、可動部材１８１を変位させる構成としているので、流量調整機構１８を簡素な構成で実現することができる。従って、シート空調装置１０の内部構成の複雑化を適切に抑制することができる。
【００８２】
なお、本実施形態では、流量調整機構１８の可動部材１８１をバタフライ式の弁機構で構成する例について説明したが、空気取込部１６の取込通路の通路開度を変更可能なものであれば、適宜採用することができる。例えば、図１０に示すように、流量調整機構１８の可動部材１８１を、直線的に変位する板状の弁体１８１ｂにより、空気取込部１６における取込通路の通路開度を変更するスライド式の弁機構で構成してもよい。
【００８３】
（第３実施形態）
次に、第３実施形態について説明する。なお、本実施形態では、第１、第２実施形態と同様または均等な部分についての説明を省略、または簡略化して説明する。
【００８４】
図１１に示すように、本実施形態では、流量調整機構１８の駆動部材１８２を電動モータ１８２ｂで構成し、当該電動モータ１８２ｂを制御装置５０で制御する構成としている。なお、本実施形態では、制御装置５０における電動モータ１８２ｂを制御する構成が駆動制御手段５０ｄを構成している。
【００８５】
本実施形態の駆動部材１８２は、図示しないリンク機構を介して可動部材１８１の弁体１８１ａを任意に変位させる電動モータ１８２ｂで構成されている。なお、電動モータ１８２ｂは、制御装置５０の出力側に接続されており、制御装置５０からの制御信号に応じて制御される。
【００８６】
本実施形態の制御装置５０は、空気温度センサ５１の検出温度に応じて駆動部材１８２の電動モータ１８２ｂを制御して、循環空気の循環流量Ｖｒに対する取込空気の取込流量Ｖｉｎの流量比を変更する流量比変更処理を実行するように構成されている。
【００８７】
具体的には、制御装置５０は、図１２に示すように、空気温度センサ５１の検出温度の上昇に伴って、循環空気の循環流量Ｖｒに対する取込空気の取込流量Ｖｉｎの流量比が大きくなるように電動モータ１８２ｂを制御する。
【００８８】
これによれば、空調の初期段階のように、空気循環回路１５内を流れる空気が低くなり易い場合に、空気取込部１６の取込通路の通路開度が小さくなり、空気循環回路１５内の空気の循環が優先されることから、空気循環回路１５内を流れる空気の早期昇温を図ることができる。
【００８９】
また、加熱器１４による加熱によって、空気循環回路１５内を流れる空気が上昇すると、空気取込部１６の取込通路の通路開度が大きくなり、表皮部材１１からの空気の吹き出しが優先されることから、着座者に向かって暖かい空気を吹き出すことができる。
【００９０】
その他の構成および作動は、第１実施形態と同様である。本実施形態によれば、空気循環回路１５を流れる空気の温度に応じて、流量調整機構１８による循環流量に対する取込流量の流量比の調整することができるので、第１、第２実施形態のシート空調装置１０と同様の作用効果を得ることができる。
【００９１】
ここで、シート空調の開始からの経過時間が長くなるにつれて、加熱器１４による加熱によって空気循環回路１５を流れる空気の温度が上昇することとなる。つまり、空気循環回路１５を流れる空気の温度変化は、シート空調の開始からの経過時間と相関性を有する。
【００９２】
このため、図１３に示すように、シート空調の開始からの経過時間が長くなるにつれて、循環空気の循環流量Ｖｒに対する取込空気の取込流量Ｖｉｎの流量比が大きくなるように制御装置５０が電動モータ１８２ｂを制御するようにしてもよい。
【００９３】
なお、シート空調の開始からの経過時間以外にも、表皮部材１１の表面温度や車室内の温度も、空気循環回路１５を流れる空気の温度変化に相関して変化する傾向がある。それ故、表皮部材１１の表面温度や車室内の温度上昇に応じて、循環空気の循環流量Ｖｒに対する取込空気の取込流量Ｖｉｎの流量比が小さくなるように制御装置５０が電動モータ１８２ｂを制御するようにしてもよい。
【００９４】
（第４実施形態）
次に、第５実施形態について説明する。本実施形態では、シート空調装置１０を、着座者を冷やす冷房機器として機能させる例について説明する。なお、本実施形態では、前述の各実施形態と同様または均等な部分についての説明を省略、または簡略化して説明する。
【００９５】
本実施形態のシート空調装置１０は、図１４に示すように、表皮部材１１、シートパッド１２、送風ユニット１３、冷却器１９、空気循環回路１５、および制御装置５０を備えている。
【００９６】
冷却器１９は、送風ユニット１３から吹き出された空気を冷却するものであり、送風ユニット１３から吹出された空気の温度を調整する温度調整部を構成している。本実施形態の冷却器１９は、通電により温度が低下するペルチェ素子等の熱電素子を用いた熱電モジュールで構成されている。なお、冷却器１９は、制御装置５０に接続され、制御装置５０からの制御信号に応じて、その温度が制御される。なお、本実施形態では、制御装置５０における冷却器１９の温度を制御する構成が冷却制御手段５０ｅを構成している。
【００９７】
また、本実施形態の流量調整機構１８は、駆動部材１８２が空気循環回路１５内を流れる空気の温度低下に伴って、空気取込部１６の取込通路の通路開度が大きくなるように可動部材１８１の弁体１８１ａを回転変位させるように構成されている。なお、本実施形態の駆動部材１８２は、図１５に示すように、第２実施形態と同様にバイメタル１８２ａで構成されている。
【００９８】
このように構成される流量調整機構１８は、空気循環回路１５内に高温の空気が流通すると、バイメタル１８２ａが伸びることで、空気取込部１６の取込通路の通路開度が小さくなる位置に可動部材１８１の弁体１８１ａが回転変位する。
【００９９】
これにより、空気取込部１６を介して流入する取込空気の取込流量Ｖｉｎが減少し、第１空気流通部１５１から第３空気流通部１５３に流入する循環空気の循環流量Ｖｒが増加する。つまり、循環流量Ｖｒに対する取込流量Ｖｉｎの流量比が小さくなる。
【０１００】
この場合、図５に示すように、空気循環回路１５における空気の循環が優先され、冷却器１９における空気の冷却が促進されるので、伝導伝熱の利点である空調の即効性の向上を図ることが可能となる。
【０１０１】
一方、空気循環回路１５内における空気の循環により、空気循環回路１５内に低温の空気が流通するようになると、バイメタル１８２ａが縮み、空気取込部１６の取込通路の通路開度が大きくなる位置に可動部材１８１の弁体１８１ａが回転変位する。
【０１０２】
これにより、空気取込部１６を介して流入する取込空気の取込流量Ｖｉｎが増加し、第１空気流通部１５１から第３空気流通部１５３に流入する循環空気の循環流量Ｖｒが減少する。つまり、循環流量Ｖｒに対する取込流量Ｖｉｎの流量比が大きくなる。この場合、図９に示すように、表皮部材１１からの空気の吹き出しが優先され、着座者に向かって冷たい空気を吹き出すことができる。
【０１０３】
その他の構成および作動は、前述までの各実施形態と同様である。本実施形態のシート空調装置１０によれば、第１〜第３実施形態のシート空調装置１０の作用効果以外に、以下の作用効果を奏する。
【０１０４】
すなわち、本実施形態では、温度調整部を冷却器１９で構成すると共に、流量調整機構１８の駆動部材１８２を、空気循環回路１５内を流れる空気の温度低下に伴って、取込通路の通路開度が大きくなるように可動部材１８１を変位させる構成している。
【０１０５】
これによれば、空調の初期段階のように、空気循環回路１５内を流れる空気が高くなり易い場合に、空気取込部１６の取込通路の通路開度が小さくなり、空気循環回路１５内の空気の循環が優先されることから、空気循環回路１５内を流れる空気を早期に冷やすことができる。
【０１０６】
また、冷却器１９による冷却によって、空気循環回路１５内を流れる空気が低下すると、空気取込部１６の取込通路の通路開度が大きくなり、表皮部材１１からの空気の吹き出しが優先されることから、着座者に向かって冷えた空気を吹き出すことができる。
【０１０７】
なお、本実施形態では、流量調整機構１８の駆動部材１８２をバイメタル１８２ａで構成する例について説明したが、これに限らず、第３実施形態の如く、駆動部材１８２を電動モータ１８２ｂで構成してもよい。
【０１０８】
また、本実施形態のシート空調装置１０は、第１実施形態の如く、空気取込部１６から取り込む取込空気の取込流量が第１空気流通部１５１から第３空気流通部１５３へ流入する循環空気の循環流量よりも少なくなるように空気取込部１６を構成してもよい。この場合、流量調整機構１８を省略することができ、シート空調装置１０の内部構成の簡素化を図ることができる。
【０１０９】
（第５実施形態）
次に、第５実施形態について説明する。本実施形態のシート空調装置１０は、図１６に示すように、空気取込部１６が、空調ユニット１１０にて温度調整された空気を導入する空調ダクト２０に接続されている。なお、具体的には、空気取込部１６の取込ダクト１６２が、空調ユニット１１０にて温度調整された空気が流通する空調ダクト２０に接続されている。
【０１１０】
その他の構成および作動は、前述の各実施形態と同様である。本実施形態のシート空調装置１０によれば、第１〜第４実施形態のシート空調装置１０の作用効果以外に、以下の作用効果を奏する。
【０１１１】
すなわち、本実施形態の如く、シート空調装置１とは別の空調手段である空調ユニット１１０にて温度調整された空気を、空気循環回路１５に取り込む構成とすれば、加熱器１４や冷却器１９といった温度調整部に要するエネルギを低減させることができる。この結果、シート空調装置１の省エネルギ化を図ることができる。
【０１１２】
（他の実施形態）
以上、本発明の実施形態について説明したが、上述の各実施形態は、互いに無関係なものではなく、組み合わせが明らかに不可な場合を除き、適宜組み合わせが可能である。
【０１１３】
また、上述の各実施形態において、実施形態を構成する要素は、特に必須であると明示した場合および原理的に明らかに必須であると考えられる場合等を除き、必ずしも必須のものではないことは言うまでもない。
【０１１４】
また、上述の各実施形態において、実施形態の構成要素の個数、数値、量、範囲等の数値が言及されている場合、特に必須であると明示した場合および原理的に明らかに特定の数に限定される場合等を除き、その特定の数に限定されない。
【０１１５】
また、上述の各実施形態において、構成要素等の形状、位置関係等に言及するときは、特に明示した場合および原理的に特定の形状、位置関係等に限定される場合等を除き、その形状、位置関係等に限定されない。
【０１１６】
なお、本発明は例えば、以下のように種々変形可能である。
【０１１７】
（１）上述の第１実施形態の如く、空気循環回路１５内の空気の循環を優先させるために、空気取込部１６を、取込空気の取込流量が循環空気の循環流量よりも少なくなるように構成することが望ましいが、これに限定されない。例えば、表皮部材１１から着座者への空気の吹き出しを優先させる場合、空気取込部１６を、取込空気の取込流量が循環空気の循環流量以上となるように構成してもよい。
【０１１８】
（２）上述の各実施形態では、シートクッション部２にシート空調装置１０を適用する例について説明したが、これに限らず、例えば、シートバック部３にシート空調装置１０を適用したり、シートクッション部２およびシートバック部３の双方にシート空調装置１０を適用したりしてもよい。
【０１１９】
（３）上述の各実施形態では、空気温度センサ５１を送風ケース１３１内部に配置する例について説明したが、これに限定されず、空気循環回路１５内を流通する空気の温度を検出可能であれば、任意の位置に配置すればよい。
【０１２０】
（４）上述の各実施形態では、車両用シート１にシート空調装置１０を適用する例について説明したが、これに限らず、家庭や業務で用いられる座椅子等にシート空調装置１０を適用してもよい。
【符号の説明】
【０１２１】
１１      表皮部材
１２      シートパッド
１３      送風ユニット（送風手段）
１４      加熱器（温度調整部）
１５      空気循環回路
１５１    第１空気流通部
１５２    第２空気流通部
１５３    第３空気流通部
１６      空気取込部
１９      冷却器（温度調整部）
【図１】
2014125086.tif 000003
【図２】
2014125086.tif 000004
【図３】
2014125086.tif 000005
【図４】
2014125086.tif 000006
【図５】
2014125086.tif 000007
【図６】
2014125086.tif 000008
【図７】
2014125086.tif 000009
【図８】
2014125086.tif 000010
【図９】
2014125086.tif 000011
【図１０】
2014125086.tif 000012
【図１１】
2014125086.tif 000013
【図１２】
2014125086.tif 000014
【図１３】
2014125086.tif 000015
【図１４】
2014125086.tif 000016
【図１５】
2014125086.tif 000017
【図１６】
2014125086.tif 000018